(57)【特許請求の範囲】
【請求項１】
スプールが回転自在に支持される両軸受リールのリール本体であって、
第１側板、前記第１側板と対向して配置され、間に前記スプールを配置可能な第２側板、及び前記第１側板と前記第２側板とに一体形成され、前記第１側板と前記第２側板とを連結する複数の連結部材、を有するフレームと、
前記複数の連結部材のいずれか一つの外側面に固定される竿取り付け脚部と、
前記竿取り付け脚部が固定される前記連結部材の前記スプールが面する内側面に箱状に凹んで形成された肉盗み部と、
を備え、
前記肉盗み部は、前記竿取り付け脚部を固定するための複数のピン部材が通過可能な複数のピン部材通過孔を有する、両軸受リールのリール本体。
【請求項２】
少なくとも前記肉盗み部の一部に配置されるカバー部材をさらに備える、請求項１に記載の両軸受リールのリール本体。
【請求項３】
前記第１側板及び前記第２側板は、外周面が円形に形成される、請求項１又は２に記載の両軸受リールのリール本体。
【請求項４】
前記複数の連結部材は、前記竿取り付け脚部が固定される第１連結部材と、少なくとも一つの第２連結部材と、を有し、
前記第２連結部材の内側面及び前記内側面と反対側の外側面は円弧状に形成され、
前記第１連結部材の前記内側面は円形に形成され、前記内側面と反対側の外側面は、径方向と直交する平面によって形成される、請求項３に記載の両軸受リールのリール本体。
【請求項５】
スプールが回転自在に支持される両軸受リールのリール本体であって、
第１側板、前記第１側板と対向して配置され、間に前記スプールを配置可能な第２側板、及び前記第１側板と前記第２側板とに一体形成され、前記第１側板と前記第２側板とを連結する複数の連結部材、を有するフレームと、
前記複数の連結部材のいずれか一つの外側面に固定される竿取り付け脚部と、
前記竿取り付け脚部が固定される前記連結部材の前記スプールが面する内側面に箱状に凹んで形成された肉盗み部と、
少なくとも前記肉盗み部の一部に配置されるカバー部材と、を備える両軸受リールのリール本体。
【請求項６】
請求項１から５のいずれか１項に記載のリール本体と、
前記スプールと、
前記第１側板側で前記リール本体に回転自在に支持され、前記スプールを回転させるためのハンドルと、
を備える両軸受リール。
【発明の詳細な説明】
【技術分野】
【０００１】
本発明は、両軸受リール及び両軸受リールのリール本体に関する。
【背景技術】
【０００２】
両軸受リールのリール本体のフレームにおいて、金属製の第１側板及び第２側板と、第１側板及び第２側板に一体形成され、第１側板と第２側板とを連結する複数の連結部材と、を有するものが知られている（例えば、特許文献１参照）。従来の両軸受リールのリール本体では、三つの連結部材の一つに両軸受リールを釣り竿に装着するための竿取り付け脚部が固定される。竿取り付け脚部が固定される連結部材のスプールに近い内側面は、円形に機械加工され、外側面は平坦面に機械加工される。他の二つの連結部材は、リール本体の前部及び後部に配置され、内側面及び外側面は円形に機械加工される。連結部材には、軽量化を図るために円形の貫通孔が形成される。竿取り付け脚部は、例えば、４本のリベットによって連結部材にかしめ固定される。
【先行技術文献】
【特許文献】
【０００３】
【特許文献１】特許第５２５８６８８号公報
【発明の概要】
【発明が解決しようとする課題】
【０００４】
従来の両軸受リールのリール本体では、竿取り付け脚部が固定される連結部材に軽量化を図るために貫通孔を形成している。貫通孔の直径や数が小さいと軽量化の効果が低い。軽量化の効果を高めるために貫通孔の直径や数を大きくすると強度を確保できないおそれがある。
【０００５】
本発明の課題は、両軸受リールのリール本体において、竿取り付け脚部が固定される連結部材を、強度を確保して軽量化することにある。
【課題を解決するための手段】
【０００６】
本発明に係る両軸受リールのリール本体は、スプールが回転自在に支持される両軸受リールのリール本体である。リール本体は、フレームと、竿取り付け脚部と、肉盗み部と、を備える。フレームは、第１側板、第１側板と対向して配置され、間にスプールを配置可能な第２側板、及び第１側板と第２側板とに一体形成され、第１側板と第２側板とを連結する複数の連結部材、を有する。竿取り付け脚部は、複数の連結部材のいずれか一つの外側面に固定される。肉盗み部は、竿取り付け脚部が固定される連結部材のスプールが面する内側面に箱状に凹んで形成される。
【０００７】
この両軸受リールのリール本体では、第１側板及び第２側板と一体形成され、竿取り付け脚部が固定される連結部材の内側面に箱状に凹んだ肉盗み部が形成される。箱状に凹んで形成された肉盗み部は、その周囲に厚肉の縁部が形成され、かつ縁部が薄肉の底部と一体形成されるため、曲げ強度が、貫通孔に比べて低下しない。このため、竿取り付け脚部が固定される連結部材を、強度を確保して軽量化できる。
【０００８】
リール本体は、肉盗み部内の少なくとも一部に配置されるカバー部材をさらに備えてもよい。この場合には、カバー部材を金属よりも比重が小さい合成樹脂製にすることによって、肉盗み部にカバー部材を配置しても、連結部材の軽量化を図れる。また、肉盗み部の少なくとも一部にカバー部材が配置されるため、カバー部材の内部に電界腐食を防止するためのグリースを貯めることができる。
【０００９】
第１側板及び第２側板は、外周面が円形に形成されてもよい。この場合には、円形のリール本体において、竿取り付け脚部が固定される連結部材を、強度を確保して軽量化できる。
【００１０】
複数の連結部材は、竿取り付け脚部が固定される第１連結部材と、少なくとも一つの第２連結部材と、を有してもよい。第２連結部材の内側面及び内側面と反対側の外側面は円弧状に形成されてもよい。第１連結部材の内側面は円形に形成され、内側面と反対側の外側面は径方向と直交する平面に形成されてもよい。この場合には、第１連結部材の内側面及び第２連結部材の内側面がそれぞれ円形に形成されるので、第１連結部材及び第２連結部材とスプールとの隙間を等間隔にすることができ、リール本体の小型を図れる。また、第１連結部材の外側面に竿取り付け脚部を固定しやすくなる。
【００１１】
肉盗み部は、竿取り付け脚部を固定するための複数のピン部材が通過可能な複数のピン部材通過孔を有してもよい。この場合には、薄肉の肉盗み部にピン部材が配置されるので、ピン部材の軸方向長さが短くなり、さらに軽量化を図れる。
【００１２】
本発明に係る両軸受リールは、上記のリール本体と、スプールと、ハンドルとを備える。ハンドルは、第１側板側でリール本体に回転自在に支持され、スプールを回転させるために設けられる。ここでは、上記作用効果を奏する両軸受リールを得ることができる。
【発明の効果】
【００１３】
本発明によれば、両軸受リールのリール本体において、竿取り付け脚部が固定される連結部材を、強度を確保して軽量化できる。
【図面の簡単な説明】
【００１４】
【図１】本発明の一実施形態が採用された両軸受リールの左側面図。
【図２】図１の切断線II−IIによって切断した両軸受リールの断面図。
【図３】本発明の一実施形態によるリール本体のフレームの平面図。
【図４】そのフレームに竿取り付け脚部を取り付けた状態の底面図。
【図５】竿取り付け脚部及びカバー部材を取り付けた状態の図３の切断線Ｖ−Ｖによって切断したフレームの断面図。
【図６】図３の切断線VI−VIによって切断したフレームの断面図。
【図７】カバー部材の平面図。
【図８】カバー部材の底面図。
【図９】カバー部材の側面図。
【発明を実施するための形態】
【００１５】
図１及び図２において、本発明の一実施形態を採用した両軸受リール１００は、ベイトキャスト及びジギング等に用いられる円形のリールである。両軸受リール１００は、リール本体１と、リール本体１の側方に配置されたスプール回転用のハンドル２と、リール本体１の内部に回転自在に装着されたスプール１２とを備える。
【００１６】
なお、以降の説明で記載する前後左右は、両軸受リール１００を釣り竿に装着された状態で釣り糸が繰り出される方向が前であり、両軸受リール１００を後方から見た状態で左右を表す。
【００１７】
＜ハンドル＞
ハンドル２は、板状のアーム部２ａと、アーム部２ａの先端に回転自在に装着された把手２ｂとを有するシングルハンドル形のものである。アーム部２ａの基端は、図２に示すように、後述する駆動軸３０の先端に一体回転可能に装着される。
【００１８】
＜リール本体＞
リール本体１は、図２に示すように、例えばアルミニウム合金やマグネシウム合金などの軽金属製の部材である。リール本体１は、フレーム５と、フレーム５の両側方に装着された第１側カバー６及び第２側カバー７と、竿取り付け脚部１０と、肉盗み部１１（図３、図５、及び図６参照）と、を備える。リール本体１は、図５に拡大して示すように、少なくとも肉盗み部１１の一部に配置されるカバー部材１３をさらに備える。リール本体１の内部には、スプール１２がスプール軸２０を介して回転自在に装着される。スプール軸２０は、第１側カバー６、第２側カバー７、及び後述する機構装着板３４によって回転自在に支持される。
【００１９】
フレーム５は、例えば、ダイキャストによって一体形成される。フレーム５は、図３から図６に示すように、左右１対の第１側板８及び第２側板９と、第１側板８及び第２側板９を連結する複数（例えば３つ）の連結部材１４と、を有する。第１側板８及び第２側板９は、外周面が円形に形成される。第１側板８は、ハンドル２側に配置され、第２側板９より大径である。第１側板８には、スプール１２が通過可能な円形の開口８ａが形成される。第１側板８と第２側板９は、スプール１２を配置可能に所定の間隔をあけて対向して配置される。第１側板８には、各種の機構を装着するための円形の機構装着板３４が芯出しされて着脱可能に固定される。機構装着板３４は、スプール軸２０中間部及び駆動軸３０の基端部を回転自在に支持する。機構装着板３４は第１側板８にネジ止めされる。第２側板９は、ハンドル２と反対側に配置される。この実施形態では、第２側カバー７と一体的に形成される。
【００２０】
複数（例えば３つ）の連結部材１４は、第１側板８及び第２側板９と一体形成される。複数の連結部材１４は、下側に配置される第１連結部材１５と、少なくとも一つの第２連結部材１６と、有する。本実施形態では、２つの第２連結部材１６が前後に配置される。第１連結部材１５には、図５に示すように、たとえばステンレス合金等の金属製の竿取り付け脚部１０が、ネジ又はリベット等の適宜の締結用のピン部材によって固定される。本実施形態では、竿取り付け脚部１０は、ピン部材としてのリベット４０によって、第１連結部材１５に固定される。リベット４０は、例えばステンレス合金等の鉄系の金属製である。リベット４０は、頭部４０ａ及び頭部４０ａよりも小径の軸部４０ｂを有する。第１連結部材１５のスプール１２に近い内側面１５ａは、スプール１２の回転中心ＳＣを中心とする円弧状に凹んで形成される。第１連結部材１５の内側面１５ａと反対側の外側面１５ｂは、回転中心ＳＣから延びる径方向と直交する平面に形成される。この外側面１５ｂに竿取り付け脚部１０が固定される。
【００２１】
２つの第２連結部材１６の内側面１６ａは、回転中心ＳＣを中心とする円弧状に凹んで形成される。外側面１６ｂは、回転中心ＳＣを中心とする円形に膨らんで形成される。第２連結部材１６の外側面１６ｂは、第１側板８の外周面８ｂと概ね面一に形成され、第２側板９側で、小径の第２側板９の外周面に向けて湾曲する。
【００２２】
第１側カバー６は、図１に示すように、円形部６ａと円形部６ａから外側及び径方向外方に突出する膨出部６ｂとで構成される。第１側カバー６は、複数本（例えば５本）のねじ部材によって、第１側板８に固定される。第１側カバー６は、ハンドル２が先端に一体回転可能に連結される駆動軸３０の中間部を回転自在に支持する。第１側カバー６はスプール軸２０の右端を回転自在に支持する。第１側カバー６の後部には、クラッチレバー１７が装着される。第２側カバー７は、スプール軸方向外方から見て円形である。第２側カバー７は、スプール軸２０の左端を回転自在に支持する。
【００２３】
竿取り付け脚部１０は、図４に示すように、両軸受リール１００を釣り竿に装着するための前後に長い板状の部材である。竿取り付け脚部１０は、たとえばステンレス合金等の金属製の部材である。竿取り付け脚部１０は、第１連結部材１５の外側面１５ｂに固定される固定部１０ａと、固定部１０ａから前後に延びる１対の脚部１０ｂと、を有する。
【００２４】
固定部１０ａは、角が丸められた概ね矩形平板状に形成され、その四隅には、リベット４０の軸部４０ｂが通過可能な複数（例えば４つ）の第１通過孔１０ｃが形成される。なお、図４では、リベット４０の軸部４０ｂが第１通過孔１０ｃよりも大径に描かれているが、これは、かしめ固定のときに、軸部４０ｂの先端を塑性変形させたからであり、塑性変形前は軸部４０ｂの方が第１通過孔１０ｃよりも小径である。一対の脚部１０ｂは、固定部１０ａよりも幅が小さい。１対の脚部１０ｂの先端部は先細りし、かつ釣り竿の外周面に沿うように左右方向で円形に湾曲している。
【００２５】
肉盗み部１１は、図３、図５、及び図６に示すように、竿取り付け脚部１０が固定される第１連結部材１５のスプール１２が面する内側面１５ａに箱状に凹んで形成される。したがって、肉盗み部１１の底部１１ａは、その四方に配置され、底部１１ａよりも厚肉の概ね矩形の縁部１５ｃによって囲まれる。肉盗み部１１は、本実施形態では、フライス加工などの機械加工によって第１連結部材１５に形成される。肉盗み部１１は、竿取り付け脚部１０が固定される第１連結部材１５を、強度を確保して軽量化するために設けられる。肉盗み部１１には、図３に示すように、複数（例えば４つ）の第２通過孔１１ｂと、少なくとも一つの第１貫通孔１１ｃと、軽量化のための少なくとも一つの第２貫通孔１１ｄと、が形成される。複数の第２通過孔１１ｂは、リベット４０の軸部４０ｂが通過可能な孔であり、第１通過孔１０ｃと同じ位置に同じ直径で形成される。第２通過孔１１ｂは、ピン部材通過孔の一例である。第１貫通孔１１ｃは、カバー部材１３を第１連結部材１５に接合するための孔であり、左右方向において第２通過孔１１ｂの間に配置される。第２貫通孔１１ｄは、前後方向において第２通過孔１１ｂの間に配置される。第１貫通孔１１ｃ及び第２貫通孔１１ｄは、竿取り付け脚部１０の固定部１０ａによって塞がれる。
【００２６】
図５に拡大して示すように、カバー部材１３は、例えば、ＡＢＳ樹脂（アクリロニトリル、ブタジエン、スチレン共重合合成樹脂）等の比較的硬質の合成樹脂製である。カバー部材１３は、肉盗み部１１の少なくとも一部をカバーし、加工痕及び鋳物のすを隠すこともできる。本実施形態では、カバー部材１３は、肉盗み部１１の内縁部に係合する角が丸められた矩形の外周面を有する。カバー部材１３は、接着、ネジ止め、溶着等の適宜の固定手段によって肉盗み部１１に固定される。本実施形態では、カバー部材１３は超音波溶着によって肉盗み部１１に固定される。なお、カバー部材１３と肉盗み部１１との間には、電解腐食防止用のグリースが貯められる。これによって、鉄系金属製のリベット４０が軽金属製の第１連結部材１５及び竿取り付け脚部１０と接触することによって生じる電解腐食を抑制できる。
【００２７】
図５から９に示すように、カバー部材１３のスプール１２に近い第１面１３ａは、第１連結部材１５の内側面１５ａに連なるように、スプール１２の回転中心ＳＣを中心とする円弧状に凹んで形成される。カバー部材１３の第１面１３ａと反対側の第２面１３ｂは、平坦に形成される。カバー部材１３は、リベット４０の頭部４０ａよりも大径の複数（例えば４つ）の頭部配置孔１３ｃと、第２面１３ｂに突出して形成された複数（例えば２つ）の接合突起１３ｄとを有する。頭部配置孔１３ｃは、第２通過孔１１ｂと連通可能な位置に形成される。頭部配置孔１３ｃは第１面１３ａから第２面１３ｂに貫通して形成される。接合突起１３ｄは、第１貫通孔１１ｃに嵌合可能に中空の筒状に形成される。接合突起１３ｄは、第１貫通孔１１ｃの軸方向長さよりもわずかに短い長さ突出する。第１貫通孔１１ｃの外側面１５ｂに開口する位置には、大径の座繰り部１１ｅが形成される。カバー部材１３を超音波溶着によって、肉盗み部１１に接合するとき、溶融した接合突起１３ｄが座繰り部１１ｅに流れ込み、カバー部材１３が抜け止めされる。
【００２８】
＜両軸受リールのその他の構成＞
図２に示すように、第１側カバー６と機構装着板３４との間には、回転伝達機構１９と、クラッチ機構２１と、クラッチ制御機構２２と、ドラグ機構２３と、キャスティングコントロール機構２４と、が配置されている。回転伝達機構１９は、駆動軸３０を有し、ハンドル２の糸巻取方向の回転をスプール１２に伝える。駆動軸３０は、第１側カバー６及び機構装着板３４に回転自在に支持される。クラッチ機構２１は、ハンドル２とスプール１２とを連結及び遮断する。クラッチ機構２１をクラッチオフ状態（遮断状態）にするとスプール１２が自由回転可能状態になる。クラッチ制御機構２２は、クラッチレバー１７の操作に応じてクラッチ機構２１をクラッチオン状態（連結状態）とクラッチオフ状態とに制御する。なお、クラッチオフ状態からクラッチオン状態の切り替えは、クラッチレバー１７ではなく、ハンドル２を糸巻取方向に回転させて図示しないリターン機構を動作させることによっても行える。ドラグ機構２３は、スプール１２の糸繰り出し方向の回転を制動する。キャスティングコントロール機構２４は、スプール１２の回転時の抵抗力を調整する。
【００２９】
＜竿取り付け脚部及びカバー部材の取り付け作業＞
竿取り付け脚部１０を第１連結部材１５に固定する場合、リベット４０の軸部４０ｂを肉盗み部１１側からを第２通過孔１１ｂに挿入する。この状態で所望の治具によってリベット４０の頭部４０ａを支持し、竿取り付け脚部１０の固定部１０ａをリベット４０の軸部４０ｂに装着し、かしめ装置によって軸部４０ｂの先端を塑性変形させる。これによって竿取り付け脚部１０が第１連結部材１５に固定される。竿取り付け脚部１０を第１連結部材１５に固定すると、第１貫通孔１１ｃ及び第２貫通孔１１ｄは固定部１０ａによって塞がれる。この状態で２本の接合突起１３ｄを第１貫通孔１１ｃに嵌合させて、カバー部材１３を肉盗み部１１にはめ込む。最後に超音波振動子によって、接合突起１３ｄを溶かしてカバー部材１３を肉盗み部１１に超音波溶着させる。これによって、竿取り付け脚部１０が第１連結部材１５に固定される。
【００３０】
＜特徴＞
上記実施形態は、下記のように表現可能である。
【００３１】
（Ａ）リール本体１は、スプール１２が回転自在に支持される両軸受リール１００のリール本体１である。リール本体１は、フレーム５と、竿取り付け脚部１０と、肉盗み部１１と、を備える。フレーム５は、第１側板８、第１側板８と対向して配置され、間にスプール１２を配置可能な第２側板９、及び第１側板８と第２側板９とに一体形成され、第１側板８と第２側板９とを連結する複数の連結部材１４、を有する。竿取り付け脚部１０は、複数の連結部材１４に含まれる第１連結部材１５の外側面１５ｂに固定される。肉盗み部１１は、竿取り付け脚部１０が固定される第１連結部材１５のスプール１２が面する内側面１５ａに箱状に凹んで形成される。
【００３２】
この両軸受リール１００のリール本体１では、第１側板８及び第２側板９と一体形成され、竿取り付け脚部１０が固定される第１連結部材１５の内側面１５ａに箱状に凹んだ肉盗み部１１が形成される。箱状に凹んで形成された肉盗み部１１は、その周囲に厚肉の縁部１５ｃが形成され、かつ縁部１５ｃが薄肉の底部１１ａと一体形成されるため、曲げ強度が、貫通孔に比べて低下しない。このため、竿取り付け脚部１０が固定される第１連結部材１５を、強度を確保して軽量化できる。
【００３３】
（Ｂ）リール本体１は、肉盗み部１１内の少なくとも一部に配置されるカバー部材１３をさらに備えてもよい。この場合には、カバー部材１３を金属よりも比重が小さい合成樹脂製にすることによって、肉盗み部１１にカバー部材１３を配置しても、第１連結部材１５の軽量化を図れる。また、肉盗み部１１の少なくとも一部にカバー部材１３が配置されるため、カバー部材１３の内部に電界腐食を防止するためのグリースを貯めることができる。
【００３４】
（Ｃ）第１側板８及び第２側板９は、外周面が円形に形成されてもよい。この場合には、円形のリール本体１において、竿取り付け脚部１０が固定される第１連結部材１５を、強度を確保して軽量化できる。
【００３５】
（Ｄ）複数の連結部材１４は、竿取り付け脚部１０が固定される第１連結部材１５と、少なくとも一つの第２連結部材１６と、を有してもよい。第２連結部材１６の内側面１６ａ及び内側面１６ａと反対側の外側面１６ｂはそれぞれ円弧状に形成されてもよい。第１連結部材１５の内側面１５ａは円形に形成され、内側面１５ａと反対側の外側面１５ｂは径方向と直交する平面に形成されてもよい。この場合には、第１連結部材１５の内側面１５ａ及び第２連結部材１６の内側面１６ａが円弧状に形成されるので、第１連結部材１５及び第２連結部材１６とスプール１２との隙間を等間隔にすることができ、リール本体１の小型を図れる。また、第１連結部材１５の外側面１５ｂに竿取り付け脚部１０を固定しやすくなる。
【００３６】
（Ｅ）肉盗み部１１は、竿取り付け脚部１０を固定するための複数のリベット４０が通過可能な複数の第２通過孔１１ｂを有してもよい。この場合には、薄肉の肉盗み部１１にリベット４０が配置されるので、リベット４０の軸方向長さが短くなり、さらに軽量化を図れる。
【００３７】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００３８】
（ａ）上記実施形態では、円形の両軸受リール１００のリール本体１を例に本発明を説明したが、本発明はこれに限定されない。例えば、ロープロファイルの非円形の両軸受リールのリール本体にも本発明を適用できる。
【００３９】
（ｂ）上記実施形態では、肉盗み部１１を、第１連結部材１５の内側面１５ａに形成したが、外側面１５ｂに形成してもよい。
【００４０】
（ｃ）上記実施形態では、第２側板９と第２側カバー７が一体形成されるが、第２側カバー７は、第２側板９と別体であってもよい。
【符号の説明】
【００４１】
１    リール本体
２    ハンドル
５    フレーム
８    第１側板
９    第２側板
１０    竿取り付け脚部
１１    肉盗み部
１１ａ  底部
１１ｂ  第２貫通孔
１２    スプール
１３    カバー部材
１４    連結部材
１５    第１連結部材
１５ａ  内側面
１５ｂ  外側面
１５ｃ  縁部
１６    第２連結部材
１６ａ  内側面
１６ｂ  外側面
４０    リベット
１００    両軸受リール
【図１】
0006534556.tif 000002
【図２】
0006534556.tif 000003
【図３】
0006534556.tif 000004
【図４】
0006534556.tif 000005
【図５】
0006534556.tif 000006
【図６】
0006534556.tif 000007
【図７】
0006534556.tif 000008
【図８】
0006534556.tif 000009
【図９】
0006534556.tif 000010